(57)【要約】【課題】  部品点数が少なく、簡易な構造のチューブスタンドを提供すること。【解決手段】  チューブ体を収容する収容容器と、前記収容容器の一部に回動自在に枢着された絞り出し装置とからなり、前記絞り出し装置は、一対の絞りローラーと、前記一対の絞りローラーの一方に回転力を付与する動力ローラーを具備することを特徴とするチューブスタンド。【選択図】  図１
0003116352.tif 000002
【実用新案登録請求の範囲】
【請求項１】
チューブ体を収容する収容容器と、
前記収容容器の一部に回動自在に枢着された絞り出し装置とからなり、
前記絞り出し装置は、一対の絞りローラーと、
前記一対の絞りローラーの一方に回転力を付与する動力ローラー、を具備することを特徴とする、
チューブスタンド。
【請求項２】
前記収容容器は上面が開放されており、前記絞り出し装置は前記収容容器の開放上面に横架可能に枢着したことを特徴とする前記請求項１に記載のチューブスタンド。
【考案の詳細な説明】
【技術分野】
【０００１】
本考案は、例えば歯磨きなどの練り製品を封入されたチューブ体から容易に練り製品を絞り出すことが可能な状態を保持するチューブスタンドに関するものである。
【背景技術】
【０００２】
歯磨きなどの練り製品は、チューブ体に封入された状態で販売され、使用時においてもチューブ体から絞り出して使用することが一般的である。チューブ体からの練り製品の絞り出しは、使用により練り製品の量が少なくなると、絞り出し難くなることがある。
そこで、例えば、チューブの後端部を一対のローラーで挟み込んで、封入された練り製品を絞り出す押出具が実用新案登録第３０１４７５５号によって提案されている。
【考案の開示】
【考案が解決しようとする課題】
【０００３】
前記した従来の押出具にあっては、次のような問題点がある。
＜１＞押出具の構造が複雑であり、製造コストが高くなる。
＜２＞内容物が減っていない新品の歯磨きチューブへの使用に適さず使用機会がないため、使用に適した状態になるまでに紛失するおそれがある。
【課題を解決するための手段】
【０００４】
上記のような問題を解決するために、本考案は第１考案として、チューブ体を収容する収容容器と、前記収容容器の一部に回動自在に枢着された絞り出し装置とからなり、前記絞り出し装置は、一対の絞りローラーと、前記一対の絞りローラーの一方に回転力を付与する動力ローラーを具備することを特徴とするチューブスタンドを提供する。
【０００５】
また、本考案は第２考案として、前記収容容器は上面が開放されており、前記絞り出し装置は前記収容容器の開放上面に横架可能に枢着したことを特徴とする前記第１考案に記載のチューブスタンドを提供する。
【考案の効果】
【０００６】
本考案のチューブスタンドは、上記した課題を解決するための手段により、次のような効果を得ることができる。
＜１＞部品点数が少ない簡易な構造であるため、製造コストを削減することができ安価な価格で製品を提供することができる。
＜２＞新品の歯磨き剤チューブに対してスタンドとして使用し、歯磨き剤が少なくなった場合には簡単に絞り出せる状態にすることができるため、歯磨き剤を絞り出したい肝心な時に紛失することがない。
【考案を実施するための最良の形態】
【０００７】
以下、本発明について図面を参照した実施の形態により詳細に説明する。図１は、本考案のチューブスタンドの一形態の斜視図であり、図２は、チューブスタンドの絞り出し装置を構成する各ローラーの係合関係を示す説明図である。
【０００８】
＜１＞チューブスタンドの構成
本考案のチューブスタンド１は、チューブ体４を収容する収容容器２と、前記収容容器２の一部に回動自在に枢着された絞り出し装置３とから構成する。
絞り出し装置３は、収容容器２の背面から収容容器２の上面に横架できるように枢着する。
【０００９】
＜２＞収容容器
収容容器２は、その内部にチューブ体４を収容するとともに、チューブスタンド１を卓上に定立させる部材である。
収容容器２は、上面を開放し、その内部にチューブ体４を収容できる中空構造に形成し、チューブスタンド１自体を卓上に定立できる底面形状を形成していれば外形形状は適宜自由に選択することができる。
収容容器２の一部には軸支部を設け、絞り出し装置３を回動自在に枢着する。
【００１０】
＜３＞絞り出し装置
絞り出し装置３は、チューブ体４を絞ることにより、チューブ体４内部に封入された歯磨きなどの練り製品を押し出す装置である。
絞り出し装置３は、一対の絞りローラー３１，３１と、前記一対の絞りローラー３１，３１の一方に回転力を付与する動力ローラー３２が回動自在に枢着され、前記各ローラーのギヤを覆うカバー３３、前記収容容器２との枢着部３４とを備える。
【００１１】
一対の絞りローラー３１，３１は、その周囲を硬質ゴムなどの滑りを防止できる材料で構成する。
また、一対の絞りローラー３１，３１間には、チューブ体４端部を挿入することができる２ｍｍ程度の間隙を設けて平行に対向するように設置する。
一対の絞りローラー３１，３１の一方には、その両端に動力ローラー３２のギヤと係合するギヤ３１１を形成する。
【００１２】
動力ローラー３２は、自信に導入される外力を一対の絞りローラー３１，３１の一方に付与する部材である。動力ローラー３２の周面には例えばメッシュ状又は突起状の凹凸を形成すると、動力ローラー３２を指で回転させる場合に滑りづらくなり好適である。
動力ローラー３２の両端には、一対の絞りローラー３１，３１の一方の両端部に形成したギヤと係合するギヤ３２１を形成する。
【００１３】
［作用］
次に、本発明のチューブスタンド１の使用方法を説明する。図３は、チューブスタンドの使用時の断面説明図である。
まず、チューブ体４に歯磨き剤が多く入っている場合には、絞り出し装置３を収容容器２の背面側に回転させて収容容器２の上面を開放状態にして、チューブ体４を収容するスタンドとして使用する。
【００１４】
使用により歯磨き剤が減少してチューブ体４から押し出し難くなってきた場合には、以下の手順により絞り出す。
絞り出し装置３を収容容器２の背面から収容容器２の上面に横架させる。
チューブ体４の後端部分を、上方から一対の絞りローラー３１，３１間に挿入する。
親指で動力ローラー３２を上から下に回転させる。すると、導入された回転力が動力ローラー３２とギヤで係合している絞り出しローラーに伝達されて回転し、チューブ体４を収容容器２内部に引き込みながら歯磨き剤を押し出す。
歯磨き剤を十分に押し出せるまでチューブ体４の下端部を引き込んだら動力ローラー３２の回転を中止する。
そのままの状態で使用を継続し、再度チューブ体４から歯磨き剤を押し出し難くなったら上記手順を繰り返す。このようにして、常に歯磨き剤を押し出し易い状態を維持することが可能である。
また、本考案のチューブスタンドは、チューブ体４に封入された歯磨き剤の練り製品を開封時から使い切るまで継続して使用することができるため、使用したい場合に直ぐに使用することができる。
さらに、本考案のチューブスタンドは、少ない部品点数、かつ、簡易な構造により構成するものであるから製造コストを低く抑えることができ、安価な価格で製品を提供することができる。
【図面の簡単な説明】
【００１５】
【図１】本考案に係るチューブスタンドの一形態を示すの斜視図。
【図２】本考案に係るチューブスタンドの絞り出し装置のローラー部分の説明図。
【図３】本考案に係るチューブスタンドの使用状態の説明図。
【符号の説明】
【００１６】
１・・・チューブスタンド
２・・・収容容器
３・・・絞り出し装置
３１・・一対の絞りローラー
３１１・ギヤ
３２・・動力ローラー
３２１・ギヤ
３３・・カバー
３４・・枢着部
４・・・チューブ体
【図１】
0003116352.tif 000003
【図２】
0003116352.tif 000004
【図３】
0003116352.tif 000005